(57)【要約】【課題】低コストで製造可能な放電部を備えた電源装置を提供する。【解決手段】電源装置１６は、補助電源部６６、放電部６１０、を備える。補助電源部６６は、補助巻線６５の両端間の電圧Ｖ４２に基づいて生成した直流電圧Ｖｄ２を放電部６１０に印加する。放電部６１０は、抵抗Ｒ７、抵抗Ｒ８、放電制御部６１１を備える。抵抗Ｒ７は、電源装置１６の平滑コンデンサＣ１に並列接続される。抵抗Ｒ８は、平滑コンデンサＣ１及び抵抗Ｒ７に並列接続され、抵抗Ｒ７の抵抗値よりも小さい。放電制御部６１１は、補助電源部６６から直流電圧Ｖｄ２が印加されることにより、抵抗Ｒ７を含む第１電路を形成するとともに抵抗Ｒ８に電流が流れることを制限する。放電制御部６１１は、直流電圧Ｖｄ２が予め定められている特定電圧以下になると、抵抗Ｒ８を含む第２電路を形成して、抵抗Ｒ８を介して平滑コンデンサＣ１に蓄えられている電荷を放電させる。【選択図】図３
2020167858.tif 000002
【特許請求の範囲】
【請求項１】
交流電圧を整流して整流電圧を出力する整流部と、
前記整流電圧を平滑して平滑電圧を出力する平滑コンデンサと、
前記平滑電圧が印加される一次巻線と、
前記一次巻線と磁気的に結合する二次巻線及び補助巻線と、
前記平滑コンデンサに並列に設けられた放電部と、
前記補助巻線の両端間の電圧に基づいて第１直流電圧を生成して前記第１直流電圧を前記放電部に印加する補助電源部と、を備え、
前記放電部は、
前記平滑コンデンサに並列に接続される第１抵抗と、
前記平滑コンデンサ及び前記第１抵抗に並列に接続され、前記第１抵抗の抵抗値よりも小さい抵抗値を有する第２抵抗と、
前記補助電源部から前記第１直流電圧が印加されることにより、前記第１抵抗を含む第１電路を形成するとともに前記第２抵抗に電流が流れることを制限する放電制御部と、を備え
前記放電制御部は、前記第１直流電圧が予め定められている特定電圧以下になると、前記第２抵抗を含む第２電路を形成して、前記第２抵抗を介して前記平滑コンデンサに蓄えられている電荷を放電させる、
電源装置。
【請求項２】
前記放電制御部は更に、前記第１直流電圧が前記特定電圧以下になると、前記第１電路に電流が流れることを制限する、
請求項１に記載の電源装置。
【請求項３】
前記整流部において前記整流電圧を出力する２つの出力部の一方と、前記一次巻線の一方端と、を接続する第１導線と、
前記２つの出力部の他方と、前記一次巻線の他方端とを接続する第２導線と、を更に備え、
前記平滑コンデンサは、前記第１導線及び前記第２導線の間に接続され、
前記第１抵抗の一方端及び前記第２抵抗の一方端のそれぞれは前記第１導線に接続され、
前記放電制御部は、
前記第１抵抗の他方端及び前記第２導線の間に接続された第１スイッチング部と、
前記第２抵抗の他方端及び前記第２導線の間に接続されるとともに、前記第１抵抗の他方端と接続される第２スイッチング部と、を含み、
前記第１スイッチング部は、前記第１スイッチング部に前記第１直流電圧が印加されることでターンオンして、前記第１抵抗及び前記第１スイッチング部を含む前記第１電路を形成し、前記第１スイッチング部に印加される前記第１直流電圧が前記特定電圧以下になるとターンオフして前記第１電路に電流が流れることを制限し、
前記第２スイッチング部は、前記第１電路が形成されている場合にオフにされ前記第２電路を遮断し、前記第１スイッチング部がターンオフすると前記第１抵抗の他方端から前記第２スイッチング部に流れ込む電流によりターンオンして、前記第２抵抗及び前記第２スイッチング部を含む前記第２電路を形成する、
請求項１又は２に記載の電源装置。
【請求項４】
前記補助電源部は更に、前記補助巻線の両端間の電圧に基づいて第２直流電圧を生成し、
前記電源装置は更に、
前記平滑電圧をスイッチングする第３スイッチング部と、
前記第２直流電圧により動作し、前記第３スイッチング部のスイッチングを制御する制御部と、
を備える、請求項１〜３のいずれかに記載の電源装置。
【請求項５】
請求項１〜４のいずれかに記載の電源装置を備える画像形成装置。
【発明の詳細な説明】
【技術分野】
【０００１】
本発明は、電源装置、及びこれを備えた画像形成装置に関する。
【背景技術】
【０００２】
一般に、画像形成装置には、交流電圧から直流電圧を生成する電源装置が設けられている。前記直流電圧は、例えば、搬送ローラーを回転させる搬送モーターの駆動用や、制御部の動作用に使用される。前記電源装置は、前記交流電圧の印加が停止した場合に、前記電源装置に設けられる平滑コンデンサに蓄積されている電荷を放電させる放電部を備える場合がある。関連技術に係る放電部は、整流器等を含む入力電圧検出部と、フォトカプラ等を含むスイッチング部と、を備える（特許文献１を参照）。
【先行技術文献】
【特許文献】
【０００３】
【特許文献１】特開平５−３０７５５号公報
【発明の概要】
【発明が解決しようとする課題】
【０００４】
しかし、前記放電部は、前記平滑コンデンサの放電用に、整流器及びフォトカプラを必要とするため、前記関連技術に係る電源装置の製造コスト等が嵩むという問題点がある。
【０００５】
本発明の目的は、低コストで製造可能な放電部を備えた電源装置及び画像形成装置を提供することにある。
【課題を解決するための手段】
【０００６】
本発明の一局面に係る電源装置は、整流部と、平滑コンデンサと、一次巻線と、二次巻線及び補助巻線と、放電部と、補助電源部と、を備える。前記整流部は、交流電圧を整流して整流電圧を出力する。前記平滑コンデンサは、前記整流電圧を平滑して平滑電圧を出力する。前記一次巻線には前記平滑電圧が印加される。前記二次巻線及び前記補助巻線は、前記一次巻線と磁気的に結合する。前記放電部は、前記平滑コンデンサに並列に設けられている。前記補助電源部は、前記補助巻線の両端間の電圧に基づいて第１直流電圧を生成して前記第１直流電圧を前記放電部に印加する。前記放電部は、第１抵抗と、第２抵抗と、放電制御部と、を備える。前記第１抵抗は、前記平滑コンデンサに並列に接続される。前記第２抵抗は、前記平滑コンデンサ及び前記第１抵抗に並列に接続され、前記第１抵抗の抵抗値よりも小さい抵抗値を有する。前記放電制御部は、前記補助電源部から前記第１直流電圧が印加されることにより、前記第１抵抗を含む第１電路を形成するとともに前記第２抵抗に電流が流れることを制限する。前記放電制御部は、前記第１直流電圧が予め定められている特定電圧以下になると、前記第２抵抗を含む第２電路を形成して、前記第２抵抗を介して前記平滑コンデンサに蓄えられている電荷を放電させる。
【０００７】
本発明の他の局面に係る画像形成装置は、前記電源装置を備える。
【発明の効果】
【０００８】
本発明の各局面によれば、低コストで製造可能な放電部を備えた電源装置及び画像形成装置を提供することができる。
【図面の簡単な説明】
【０００９】
【図１】図１は、一実施形態に係る画像形成装置の構成を示す模式図である。
【図２】図２は、図１に示す画像形成装置の構成を示すブロック図である。
【図３】図３は、図２に示す電源装置の構成を示す図である。
【図４】図４は、第１電路を示す図である。
【図５】図５は、第２電路を示す図である。
【図６】図６は、変形例に係る電源装置の構成を示す図である。
【発明を実施するための形態】
【００１０】
以下添付図面を参照しながら、本発明の一実施形態について説明し、本発明の理解に供する。なお、以下の実施形態は、本発明を具体化した一例であって、本発明の技術的範囲を限定するものではない。
【００１１】
図１において、画像形成装置１００は、プリンター、複写機、ファクシミリ又は複合機である。前記複合機は、プリント機能、複写機能及びファクシミリ機能を備える。画像形成装置１００は、図１に示すように、ＡＤＦ１１、画像読取部１２、画像形成部１３、及び給送部１４を備える。画像形成装置１００は、図２に示すように、制御部１５及び電源装置１６を更に備える。
【００１２】
ＡＤＦ１１は、自動原稿搬送装置である。ＡＤＦ１１には、画像読取部１２による読取処理の対象となる複数枚の原稿がセット可能である。ＡＤＦ１１は、画像読取部１２に前記原稿を１枚ずつ順次搬送する。
【００１３】
画像読取部１２は、ＡＤＦ１１により搬送されている原稿を光学的に読み取り、前記原稿の画像を表す画像データを生成する。画像読取部１２は、前記画像データを制御部１５に送信する。
【００１４】
画像形成部１３は、図１に示されるように、感光体ドラム３１、帯電器３２、光走査部３３及び現像器３４、転写ローラー３５、定着部３６及び排出トレー３７等を備える。
【００１５】
帯電器３２、光走査部３３及び現像器３４は、電子写真方式により、画像読取部１２により送信される前記画像データが表すトナー像を感光体ドラム３１に形成する。具体的に、帯電器３２は、感光体ドラム３１の周面を一様に帯電させる。光走査部３３は、前記画像データに基づく光ビームを前記周面に照射することで、感光体ドラム３１の周面に静電潜像を形成する。現像器３４は、前記静電潜像にトナーを供給することで、前記原稿の画像を表すトナー像を感光体ドラム３１の周面に形成する。
【００１６】
転写ローラー３５は、感光体ドラム３１上に形成された前記トナー像を給送部１４により搬送されるシート上に転写する。定着部３６は、加熱ローラー３６Ａ及び加圧ローラー３６Ｂを備える。加熱ローラー３６Ａは、内部にヒーターが内蔵されており、前記ヒータが発熱することにより、前記トナー像が転写された前記シートを加熱する。また、加圧ローラー３６Ｂは、前記トナー像が転写された前記シートを加圧する。これにより、前記トナー像は前記シート上に定着される。前記トナー像が定着された前記シートは、排出トレー３７に排出される。
【００１７】
なお、画像形成部１３は、前記電子写真方式に代えてインクジェット方式により、前記シート上に画像を形成してもよい。
【００１８】
給送部１４は、供給カセット１４Ａ及び複数の搬送ローラー１４Ｂを備える。複数の搬送ローラー１４Ｂは、供給カセット１４Ａに収容されるシート（例えば、用紙）を画像形成部１３に搬送する。
【００１９】
制御部１５は、図示しないプログラム記憶部、主記憶部及び処理部を含む。前記プログラム記憶部は、ＲＯＭ等であり、プログラムを予め記憶する。前記主記憶部は、ＲＡＭ等である。前記処理部は、ＣＰＵ等であり、前記プログラムを前記主記憶部を使って実行することにより、ＡＤＦ１１、画像読取部１２、画像形成部１３及び給送部１４等の動作を統括的に制御する。なお、制御部１５は、集積回路（ＡＳＩＣ）などの電子回路であってもよい。
【００２０】
電源装置１６は、図示しない商用電源から印加される交流電圧Ｖａｃ（図３を参照）から、予め定められている電圧値を有する直流電圧Ｖｄｃを生成する。電源装置１６は、直流電圧Ｖｄｃを負荷に印加する。本実施形態では、前記負荷は、搬送ローラー１４Ｂなどの回転部材を駆動するための搬送モーターや制御部１５である。なお、前記負荷は、前記搬送モーターや制御部１５以外でもよい。
【００２１】
電源装置１６は、図３に示されるように、入力端子Ｔｉ１，Ｔｉ２と、起動部６１と、整流部６２と、一次巻線６３と、平滑コンデンサＣ１と、二次巻線６４と、補助巻線６５と、ダイオードＤ７と、平滑コンデンサＣ２と、出力端子Ｔｏ１，Ｔｏ２と、補助電源部６６と、比較部６８と、電源制御部６９と、スイッチング部Ｑ１と、放電部６１０と、を備える。
【００２２】
入力端子Ｔｉ１，Ｔｉ２には、交流電圧Ｖａｃ（例えば、ＡＣ１００Ｖ）が印加される。
【００２３】
起動部６１は、２つのダイオードＤ１，Ｄ２と、２つの抵抗Ｒ１，Ｒ２と、を含む。ダイオードＤ１のアノードは入力端子Ｔｉ１と接続され、ダイオードＤ１のカソードは抵抗Ｒ１の一方端と接続される。ダイオードＤ２のアノードは入力端子Ｔｉ２と接続され、ダイオードＤ２のカソードは抵抗Ｒ２の一方端と接続される。ダイオードＤ１，Ｄ２は、交流電圧Ｖａｃを整流する。抵抗Ｒ１の他方端及び抵抗Ｒ２の他方端はノードＮ１（節点）にて接続される。電源装置１６に交流電圧Ｖａｃが印加されると、ノードＮ１には、直流電圧Ｖ１が発生する。直流電圧Ｖ１は電源制御部６９に印加される。電源制御部６９は、直流電圧Ｖ１の印加開始により起動する。
【００２４】
整流部６２は、交流電圧Ｖａｃを整流して整流電圧Ｖ２を出力する。整流部６２は、具体的に、全波整流回路等であり、４個のダイオードＤ３，Ｄ４，Ｄ５，Ｄ６を含む。ダイオードＤ３のカソードはダイオードＤ４のアノードと、ダイオードＤ４のカソードはダイオードＤ５のアノードと、ダイオードＤ５のカソードはダイオードＤ６のアノードと、ダイオードＤ６のカソードはダイオードＤ３のアノードと電気的に接続される。
【００２５】
ダイオードＤ６，Ｄ３の間のノードＮ２１は入力端子Ｔｉ１と接続され、ダイオードＤ４，Ｄ５の間のノードＮ２２は入力端子Ｔｉ２と接続される。ノードＮ２１，Ｎ２２の間に交流電圧Ｖａｃが印加される。
【００２６】
ダイオードＤ３，Ｄ４の間のノードＮ２３は、一次巻線６３の一方端６３Ａと導線Ｌ１を通じて接続される。ダイオードＤ５，Ｄ６の間のノードＮ２４は、一次巻線６３の他方端６３Ｂが導線Ｌ２を通じて接続される。ノードＮ２３，Ｎ２４から整流電圧Ｖ２が出力される。
【００２７】
なお、導線Ｌ１は、本発明における第１導線に相当し、導線Ｌ２は、本発明における第２導線に相当し、ノードＮ２３は、本発明における２つの出力部の一方であり、ノードＮ２４は、前記２つの出力部の他方である。
【００２８】
平滑コンデンサＣ１は、電解コンデンサ等であり、導線Ｌ１，Ｌ２の間に電気的に接続される。平滑コンデンサＣ１の容量は、例えば１２００μＦである。具体的に、平滑コンデンサＣ１は、ノードＮ３１，Ｎ３２の間に電気的に接続される。ノードＮ３１は、導線Ｌ１においてノードＮ２３寄りの位置に設けられ、ノードＮ３２は、導線Ｌ２においてノードＮ２４寄りの位置に設けられる。平滑コンデンサＣ１は、整流電圧Ｖ２を平滑して平滑電圧Ｖ３を生成する。平滑電圧Ｖ３は、抵抗Ｒ３及びスイッチング部Ｑ１を通じて、一次巻線６３の一方端６３Ａ及び他方端６３Ｂに印加される。
【００２９】
二次巻線６４及び補助巻線６５は、一次巻線６３と磁気的に結合する。
【００３０】
二次巻線６４は、一次巻線６３に平滑電圧Ｖ３が印加されると、二次巻線６４の一方端６４Ａ及び他方端６４Ｂの間に第１誘起電圧Ｖ４１を発生する。第１誘起電圧Ｖ４１は、ダイオードＤ７により整流され、平滑コンデンサＣ２により平滑される。平滑コンデンサＣ２の両端間の電圧は、直流電圧Ｖｄｃ（例えば、ＤＣ２４Ｖ）として出力端子Ｔｏ１，Ｔｏ２から出力される。直流電圧Ｖｄｃは、前記負荷に印加される。
【００３１】
補助巻線６５は、一次巻線６３に平滑電圧Ｖ３が印加されると、補助巻線６５の一方端６５Ａ及び他方端６５Ｂの間に第２誘起電圧Ｖ４２を発生する。第２誘起電圧Ｖ４２は、本発明における補助巻線の両端間の電圧に相当する。
【００３２】
補助電源部６６は、第２誘起電圧Ｖ４２に基づいて、本発明における第１直流電圧に相当する直流電圧Ｖｄ２を生成する。補助電源部６６は、直流電圧Ｖｄ２を放電部６１０の放電制御部６１１に印加する。補助電源部６６は更に、第２誘起電圧Ｖ４２に基づいて、本発明における第２直流電圧に相当する直流電圧Ｖｄ１を生成する。補助電源部６６は、直流電圧Ｖｄ１を電源制御部６９に印加する。
【００３３】
具体的には、補助電源部６６は、ダイオードＤ８と、平滑コンデンサＣ３と、２つの抵抗Ｒ４，Ｒ５を有する分圧部６７と、を含む。第２誘起電圧Ｖ４２は、ダイオードＤ８により整流され、平滑コンデンサＣ３により平滑される。これにより、直流電圧Ｖｄ１が生成される。平滑コンデンサＣ３の容量値は、平滑コンデンサＣ１の容量値よりも小さい。直流電圧Ｖｄ１は、電源制御部６９と、分圧部６７とに印加される。分圧部６７は、直流電圧Ｖｄ１を抵抗Ｒ４，Ｒ５で分圧して直流電圧Ｖｄ２を生成する。分圧部６７は、放電部６１０のスイッチング部ＴＲ１に抵抗Ｒ６を通じて直流電圧Ｖｄ２を印加する。
【００３４】
比較部６８は、出力端子Ｔｏ１，Ｔｏ２から出力される直流電圧Ｖｄｃの大きさを、予め定められている基準電圧値Ｖｒｅｆと比較し、比較結果を示す比較信号Ｓｃを電源制御部６９に出力する。
【００３５】
電源制御部６９は、本発明における制御部に相当する。電源制御部６９は、直流電圧Ｖｄ１により動作し、内部に有する発振回路（図示せず）によりパルス信号Ｓｐを生成する。電源制御部６９は、本発明の第３スイッチング部に相当するスイッチング部Ｑ１にパルス信号Ｓｐを出力して、スイッチング部Ｑ１を制御する。スイッチング部Ｑ１は、ＦＥＴ等であり、電源制御部６９の制御下で平滑電圧Ｖ３をスイッチングして一次巻線６３の一方端６３Ａ及び他方端６３Ｂに印加する。なお、電源制御部６９は、比較信号Ｓｃに基づいてパルス信号Ｓｐの周期を変更することで、前記電圧値を有する直流電圧Ｖｄｃを出力する。
【００３６】
放電部６１０は、平滑コンデンサＣ１に並列に設けられている。放電部６１０は、抵抗Ｒ７と、抵抗Ｒ８と、放電制御部６１１と、を備える。抵抗Ｒ７は、本発明における第１抵抗に相当し、平滑コンデンサＣ１に並列に接続される。抵抗Ｒ８は、本発明における第２抵抗に相当し、平滑コンデンサＣ１及び抵抗Ｒ７に並列に接続される。抵抗Ｒ８の抵抗値（例えば１２０ｋΩ）は、抵抗Ｒ７の抵抗値（例えば１０ＭΩ）よりも小さい。放電制御部６１１は、補助電源部６６から直流電圧Ｖｄ２が印加されることにより、抵抗Ｒ７を含む第１電路Ｐ１（図４を参照）を形成するとともに抵抗Ｒ８に電流が流れることを制限する。
【００３７】
画像形成装置１００を修理又は点検する際に、作業者が画像形成装置１００の主電源をオフにすると、電源装置１６への交流電圧Ｖａｃの印加が停止する。その結果、放電制御部６１１に印加される直流電圧Ｖｄ２は徐々に小さくなる。この場合、放電制御部６１１は、直流電圧Ｖｄ２が予め定められている特定電圧以下になると、抵抗Ｒ７に電流が流れることを制限し、また、抵抗Ｒ８を含む第２電路Ｐ２（図５を参照）を形成して、抵抗Ｒ８を介して平滑コンデンサＣ１に蓄えられている電荷を放電させる。これにより、前記作業者が作業中に平滑コンデンサＣ１に残留する電荷により感電することを防ぐことができる。
【００３８】
以下、放電部６１０の構成及び動作をより詳細に説明する。
【００３９】
放電部６１０における抵抗Ｒ７，Ｒ８の一方端は、図３に示すように、導線Ｌ１に接続される。より詳細には、抵抗Ｒ７の前記一方端は、導線Ｌ１において一次巻線６３の一方端６３ＡとノードＮ４１との間に設けられるノードＮ５１に接続される。抵抗Ｒ８の前記一方端は、導線Ｌ１においてノードＮ３１とノードＮ５１との間に設けられるノードＮ４１に接続される。
【００４０】
放電制御部６１１は、トランジスタ等であるスイッチング部ＴＲ１，ＴＲ２を含む。スイッチング部ＴＲ１は、本発明における第１スイッチング部に相当し、抵抗Ｒ７の他方端と、導線Ｌ２との間に接続される。スイッチング部ＴＲ２は、本発明における第２スイッチング部に相当し、抵抗Ｒ８と他方端と、導線Ｌ２との間に接続される。
【００４１】
より詳細には、スイッチング部ＴＲ１のコレクタは抵抗Ｒ７の前記他方端に接続される。スイッチング部ＴＲ１のエミッタは、導線Ｌ２においてノードＮ３２と一次巻線６３の他方端６３Ｂとの間に設けられるノードＮ５２に接続される。スイッチング部ＴＲ１のゲートには、抵抗Ｒ６を通じて直流電圧Ｖｄ２が印加される。
【００４２】
スイッチング部ＴＲ２のコレクタは抵抗Ｒ８の前記他方端に接続される。スイッチング部ＴＲ２のエミッタは、導線Ｌ２においてノードＮ３２，Ｎ５２の間に設けられるノードＮ４２に接続される。スイッチング部ＴＲ２のゲートは、抵抗Ｒ７の前記他方端が接続される。
【００４３】
入力端子Ｔｉ１，Ｔｉ２間への交流電圧Ｖａｃの印加により、補助電源部６６からは直流電圧Ｖｄ２が出力される。スイッチング部ＴＲ１のゲートに直流電圧Ｖｄ２が印加されることで、スイッチング部ＴＲ１はターンオンして、ノードＮ５１から抵抗Ｒ７、スイッチング部ＴＲ１を経てノードＮ５２に至る第１電路Ｐ１（図４を参照）を形成する。つまり、スイッチング部ＴＲ１がターンオンすることにより、第１電路Ｐ１が導通する。これにより、スイッチング部ＴＲ１がターンオンしている間、ノードＮ５１から抵抗Ｒ７、スイッチング部ＴＲ１を経てノードＮ５２へ電流が流れ、スイッチング部ＴＲ２のゲートにはノードＮ５１からの電流は流入しない。そのため、スイッチング部ＴＲ２は、第１電路Ｐ１が導通している場合にターンオンせずオフの状態を維持する。即ち、スイッチング部ＴＲ２は、第１電路Ｐ１が導通している場合にオフにされ第２電路Ｐ２を遮断する。
【００４４】
また、電源装置１６への交流電圧Ｖａｃの印加が停止すると、スイッチング部ＴＲ１の前記ゲートに印加される直流電圧Ｖｄ２が徐々に小さくなる。直流電圧Ｖｄ２がスイッチング部ＴＲ１のターンオフ電圧以下になると、スイッチング部ＴＲ１はターンオフして、第１電路Ｐ１に電流が流れ込むことを制限する。ここで、前記ターンオフ電圧は、前記特定電圧に相当する。一方、スイッチング部ＴＲ１がターンオフし、第１電路Ｐ１が遮断されると、抵抗Ｒ７の他方端を流れる電流がスイッチング部ＴＲ２のゲートに流れ込む。これにより、スイッチング部ＴＲ２はターンオンして、ノードＮ４１から、抵抗Ｒ８及びスイッチング部ＴＲ２を経てノードＮ４２に至る第２電路Ｐ２（図５を参照）を形成する。つまり、スイッチング部ＴＲ２がターンオンすることにより、第２電路Ｐ２が導通する。これにより、スイッチング部ＴＲ２がターンオンしている間、ノードＮ４１から抵抗Ｒ８、スイッチング部ＴＲ２を経てノードＮ４２へ電流が流れる。
【００４５】
抵抗Ｒ８は、抵抗Ｒ７よりも小さい抵抗値を有するため、交流電圧Ｖａｃの印加停止後、平滑コンデンサＣ１に残留する電荷による電流（即ち、放電電流）は、第１電路Ｐ１よりも第２電路Ｐ２の方に多く流れ込む。これにより、前記電荷を短時間で放電させることが可能となる。具体的に、本件発明者のシミュレーションの結果、交流電圧ＶａｃがＡＣ１００Ｖ、平滑コンデンサＣ１の容量値が１２００μＦ、抵抗Ｒ７の抵抗値が１０ＭΩ及び抵抗Ｒ８の抵抗値が１２０ｋΩの場合、交流電圧Ｖａｃの印加停止から平滑コンデンサＣ１の両端間の電圧値が４４Ｖ以下に低下するまで時間は約１５０秒であった。
【００４６】
「背景技術」の欄で説明した関連技術は、平滑コンデンサに蓄積される電荷を、整流器等を含む入力電圧検出部と、フォトカプラ等を含むスイッチング部と、を用いて放電していた。そのため、前記関連技術に係る電源装置の製造コスト等が嵩むという問題点があった。しかし、放電部６１０は、スイッチング部ＴＲ１，ＴＲ２のオンオフを、補助電源部６６により生成される直流電圧Ｖｄ２で制御することにより、平滑コンデンサＣ１に蓄積される電荷を放電させることができる。これにより、低コストで製造可能な放電部６１０を備えた電源装置１６及び画像形成装置１００を提供することが可能となる。
【００４７】
なお、平滑コンデンサＣ３にも交流電圧Ｖａｃの印加停止後に電荷が残留する。しかし、平滑コンデンサＣ３の容量値は、平滑コンデンサＣ１の容量値よりも小さい。また、平滑コンデンサＣ３に残留する電荷は、電源制御部６９及び分圧部６７により消費されるため、平滑コンデンサＣ１に残留する電荷よりも早く放電する。そのため、平滑コンデンサＣ３のための放電部を電源装置１６に設ける必要はない。
【００４８】
また、平滑コンデンサＣ２の放電用に、放電部６１０と同様の構成の放電部が平滑コンデンサＣ２に並列に接続されてもよい。
【００４９】
また、直流電圧Ｖｄ２に代えて直流電圧Ｖｄ１が抵抗Ｒ６を通じてスイッチング部ＴＲ１のゲートに印加されてもよい。この場合、分圧部６７を省略することが可能となる。
【００５０】
また、電源装置１６は、洗濯機及び電子レンジ等、画像形成装置１００以外の電子機器に用いることも可能である。
【００５１】
また、図６に示すように、電源装置１６は、ノードＮ４１，Ｎ４２の間に、ＬＥＤ（Ｌｉｇｈｔ  Ｅｍｉｔｔｉｎｇ  Ｄｅｖｉｃｅ）等の発光部６１２を備えていてもよい。また、発光部６１２は、画像形成装置１００において前記作業者が視認可能な場所に設けられる。発光部６１２は、平滑コンデンサＣ１に電荷が蓄積している間には点灯し、平滑コンデンサＣ１の放電が完了すると消灯する。これにより、前記作業者は、平滑コンデンサＣ１に電荷が残っているか否かを視認できるため、より安全に前記作業を行うことが可能となる。また、発光部６１２が平滑コンデンサＣ１の電荷を消費するため、平滑コンデンサＣ１が放電に要する時間を短くすることも可能となる。
【符号の説明】
【００５２】
１００  画像形成装置
１６  電源装置
６２  整流部
Ｃ１  平滑コンデンサ
６３  一次巻線
６４  二次巻線
６５  補助巻線
６６  補助電源部
６９  制御部
６１０  放電部
Ｒ７，Ｒ８  抵抗
６１１  放電制御部
ＴＲ１，ＴＲ２，Ｑ１  スイッチング部
Ｌ１，Ｌ２  導線
【図１】
2020167858.tif 000003
【図２】
2020167858.tif 000004
【図３】
2020167858.tif 000005
【図４】
2020167858.tif 000006
【図５】
2020167858.tif 000007
【図６】
2020167858.tif 000008